(57)【特許請求の範囲】
【請求項１】
空間を仕切る仕切ユニットにおいて、
互いに係合して配列された複数個の自立可能な仕切モジュールを備え、
上記仕切モジュールは、
流体が貯留される容器部と、
隣接する仕切モジュールに角度調整可能に係合する一つ以上の角度調整係合部と、該角度調整係合部に対応する形状を有する一つ以上の係合受部とを有し、
互いに隣接する上記仕切モジュールの上記角度調整係合部と上記係合受部とを互いに係合させ、一方の上記仕切モジュールに対して他方の上記仕切モジュールの角度を調整可能としたことを特徴とする仕切ユニット。
【請求項２】
前記仕切モジュールは、前記仕切モジュールを支持する支持部材が挿通し得る取付孔を有し、
前記仕切モジュールは、上記取付孔の軸線を中心に回動可能に構成されることを特徴とする請求項１に記載の仕切ユニット。
【請求項３】
前記角度調整係合部は、略凸円弧状に設けられ、前記係合受部は、略凹円弧状に設けられていることを特徴とする請求項１又は請求項２に記載の仕切ユニット。
【請求項４】
前記取付孔は、前記角度調整係合部の円弧中心に設けられていることを特徴とする請求項３に記載の仕切ユニット。
【請求項５】
前記容器部は、蓋体で閉塞可能な前記流体の注入口を有することを特徴とする請求項１乃至４の何れかに記載の仕切ユニット。
【請求項６】
前記容器部は、蓋体で閉塞可能な前記流体の排出口を有することを特徴とする請求項１乃至５の何れかに記載の仕切ユニット。
【請求項７】
上記容器部は、光透過性を有することを特徴とする請求項１乃至６の何れかに記載の仕切ユニット。
【請求項８】
流体が貯留される容器部と、
隣接する仕切モジュールに角度調整可能に係合する一つ以上の角度調整係合部と、該角度調整係合部に対応する形状を有する一つ以上の係合受部とを有し、
互いに隣接する仕切モジュールの角度調整係合部と係合受部とを互いに係合させ、一方の仕切モジュールに対して他方の仕切モジュールの角度を調整可能とし、自立可能としたことを特徴とする仕切モジュール。
【請求項９】
上記仕切モジュールを支持する支持部材を挿通し得る取付孔を有することを特徴とする請求項８に記載の仕切モジュール。
【請求項１０】
前記容器部は、前記取付孔の軸線を中心に回動可能に構成されることを特徴とする請求項９に記載の仕切モジュール。
【請求項１１】
前記角度調整係合部は、略凸円弧状に設けられ、前記係合受部は、略凹円弧状に設けられていることを特徴とする請求項８乃至１０の何れかに記載の仕切モジュール。
【請求項１２】
前記取付孔は、前記角度調整係合部の円弧中心に設けられていることを特徴とする請求項１１に記載の仕切モジュール。
【請求項１３】
上記容器部は、蓋体で閉塞可能な前記流体の注入口を有することを特徴とする請求項８乃至１２の何れかに記載の仕切モジュール。
【請求項１４】
上記容器部は、蓋体で閉塞可能な前記流体の排出口を有することを特徴とする請求項８乃至１３の何れかに記載の仕切モジュール。
【請求項１５】
上記容器部は、光透過性を有することを特徴とする請求項８乃至１４の何れかに記載の仕切モジュール。
【発明の詳細な説明】
【技術分野】
【０００１】
本発明は、空間を仕切る仕切ユニット及び仕切モジュールに関する。
【背景技術】
【０００２】
工事現場の隔離、目隠し又は防音対策として、或いは、オフィスのレイアウトや目隠しとして、空間を仕切る仕切ユニットが用いられている。このような仕切ユニットは、例えば、板状の仕切モジュールを連結部材によって複数個連結することで構成されている（例えば、特許文献１参照。）。
【０００３】
しかしながら、従来の仕切ユニットは、直線用やＬ字用等の連結部材を用いることで、平面視において、直線状やＬ字状等に設けることは出来るが、Ｓ字状や円弧状等の湾曲状に設けることは出来ない。更に、従来の仕切ユニットは、連結部材を取り換えることなく、直線状からＬ字状、又は、直線状から湾曲状に自在に切り換えることは出来ない。従って、従来の仕切ユニットは、設置自由度が低く、更に、容易にレイアウトの変更が出来ない。
【先行技術文献】
【特許文献】
【０００４】
【特許文献１】実用新案登録第３１７５４７２号公報
【発明の概要】
【発明が解決しようとする課題】
【０００５】
本発明は、以上のような背景に基づいて成されたものであり、直線状に加え、湾曲状にも設けることが可能な仕切ユニット及び仕切モジュールを提供することを目的とする。
【課題を解決するための手段】
【０００６】
本発明に係る仕切モジュールは、互いに係合して配列されて空間を仕切る仕切ユニットを構成するものであって、流体が貯留される容器部と、容器部に設けられ、隣接する仕切モジュールに角度調整可能に係合するジョイント部とを備え自立可能に構成されている。更に、ジョイント部は、角度調整係合部と、角度調整係合部に対応する形状を有する係合受部とを有している。そして、互いに隣接する仕切モジュールの角度調整係合部と係合受部とを互いに係合させ、一方の仕切モジュールに対して他方の仕切モジュールの角度を調整可能とした。
【０００７】
本発明に係る仕切ユニットは、空間を仕切るものであり、上述したような仕切モジュールを複数個備え、仕切モジュールが互いに係合して配列されている。
【０００８】
また、仕切モジュールは、容器部に設けられ、仕切モジュールを支持する支持部材が挿通される取付孔を更に有している。更に、仕切モジュールは、取付孔の軸線を中心に回動可能に構成することが出来る。例えば、角度調整係合部は、略凸円弧状に設けられ、係合受部は、略凹円弧状に設けられ、また取付孔は、例えば、角度調整係合部の円弧中心に設けられている。このような構成によれば、仕切モジュールは、取付孔の軸線を中心として回動可能となり、回動の際には、略凹円弧状に設けられた係合受部の表面に沿って、略凸円弧状に設けられた角度調整係合部の表面が回動する動作となる。
【０００９】
また、容器部は、蓋体で閉塞される流体の注入口が設けられている。更に、蓋体で閉塞される流体の排出口を設けるようにしても良い。なお、ここで云うところの流体とは、水や油や水銀等の液体の他、スラリー状やゲル状を成す流動体、或いは、砂や砂鉄等のような砂状の物質を含む粉体や粒体、顆粒状を成す物体、若しくはこれらの混合物を含むものである。
【００１０】
また、容器部は、光透過性を有するようにしても良い。
【発明の効果】
【００１１】
本発明は、仕切モジュールが角度調整可能に設けられているので、仕切モジュールを直線状に配列させることが出来ることに加え、Ｓ字状、Ｌ字状、Ｕ字状或いはＣ字状のような湾曲状に配列させることも出来る。従って、本発明では、設置自由度を高く、直線状に加え、湾曲状にも容易に設けることができる。勿論、本発明の仕切ユニットは、仕切モジュールを一列に配列することに限らず、複数列配列することも可能であり、複数列にした場合には、音波に対する遮蔽効果を一層向上させることが可能となる。なお、本発明の仕切モジュールは、支持部材で支持しながら高さ方向に積み重ねて連結することも可能であることから、縦横に組み合わせての使用が可能であり、多様な設置環境に対応させることが出来る。
【００１２】
また、本発明は、所定の厚さを有する複数個の仕切モジュールが隣接する仕切モジュールと互いに係合して一列に配列されているが、各仕切モジュールは、相応の重量となることから音波に対する透過減衰における質量則が有効にはたらく。従って、本発明では、仕切モジュールによって画成され隔てられた空間間において騒音等の音波を遮蔽し、防音することが出来る。すなわち、本発明は、防音板としても機能する。更に、本発明では、仕切モジュールによって画成され隔てられた空間からの塵埃等の拡散を遮蔽することができる。すなわち、本発明は、遮蔽板としても機能する。
【図面の簡単な説明】
【００１３】
【図１】本発明を適用した仕切ユニットを示した斜視図である。
【図２】本発明を適用した仕切モジュールを示し、（Ａ）は正面側から斜視図であり、（Ｂ）は背面側から見た斜視図である。
【図３】本発明を適用した仕切モジュールを示した横断面図である。
【図４】本発明を適用した仕切モジュールを示した縦断面図である。
【図５】本発明を適用した仕切ユニットの製作の様子を示した平面図である。
【図６】本発明を適用した仕切ユニットをＬ字状に設けた様子を示した斜視図である。
【図７】本発明を適用した仕切ユニットを直線状に設けた様子を示した斜視図である。
【図８】ジョイント部が凸形状を有する端部モジュールを示し、（Ａ）は平面図であり、（Ｂ）は横断面図である。
【図９】ジョイント部が凹形状を有する端部モジュールを示し、（Ａ）は平面図であり、（Ｂ）は横断面図である。
【図１０】ガイド部を有する仕切モジュールを示し、（Ａ）は平面図であり、（Ｂ）は側面図である。
【図１１】本発明を適用した仕切モジュールを積み上げた仕切ユニットを１個の単管で支持する様子を示した正面図である。
【図１２】本発明を適用した仕切モジュールを積み上げた仕切ユニットを複数個の単管で支持する様子を示した正面図である。
【図１３】係合凸部及び係合凹部を設けた仕切モジュールを示した縦断面図である。
【図１４】仕切モジュールを支持板で支持する様子を示した斜視図である。
【図１５】支持板の変形例を示した平面図である。
【図１６】更なる層を設けた仕切モジュールを示した横断面図である。
【図１７】上面及び下面に開口部を設けた仕切モジュールを示した縦断面図である。
【図１８】光透過性を有する仕切モジュールと光不透過性を有する仕切モジュールと組み合わせて製作した仕切ユニットを示した正面図であり、（Ａ）は長手方向の中央に光透過性を有する仕切モジュールを配置し、（Ｂ）は、上層に光透過性を有する仕切モジュールを配置し、（Ｃ）は光不透過性を有する仕切モジュールで囲むように光透過性を有する仕切モジュールを配置した仕切ユニットを示している。
【図１９】縦長に設けた仕切モジュールを示した平面図である。
【図２０】横長に設けた仕切モジュールを示した平面図である。
【図２１】本発明を適用した仕切ユニットの他の使用例を示した斜視図である。
【発明を実施するための形態】
【００１４】
以下、本発明を適用した仕切ユニット及び仕切モジュールについて図面を参照して説明する。
【００１５】
図１に示すように、本発明を適用した仕切ユニット１は、空間を仕切る或いは区画するものであって、複数個の仕切モジュール１０を備え、隣接する仕切モジュール１０が互いに係合して一列に配列されている。この仕切ユニット１は、仕切モジュール１０を直線状に配列させることが出来ることに加え、Ｓ字状、Ｌ字状、Ｕ字状或いはＣ字状のような湾曲状に配列させることも出来る。このような仕切ユニット１は、例えば、工事作業等が行われている工事作業現場３の周囲の全て又は一部を囲み、工事作業現場３とその他の空間（以下、単に外部ともいう。）２とを仕切るように設置される。そして、仕切ユニット１は、工事作業現場３を目隠しし、工事作業に伴う塵埃等の飛散を防止し、工事作業に伴う騒音等を防音する。
【００１６】
仕切モジュール１０は、図１に示すように、隣接する仕切モジュール１０に対して角度調整可能なブロック体である。具体的に、図２に示すように、仕切モジュール１０は、流体１３が貯留される容器部１４と、容器部１４に設けられ、隣接する仕切モジュール１０に角度調整可能に係合するジョイント部１２とを有している。
【００１７】
容器部１４は、図３及び図４に示すように、例えば、柱状に設けられ、内部に貯留部１４ａを有している。例えば、容器部１４は、大人の背丈程の高さに設けられている。容器部１４は、固体層であって、下記表１に示す元素周期表の第１の周期から第７の周期の元素を少なくとも一つ含む材質で形成されている。更に、容器部１４は、光透過性を有するように設けられている。このような性質の素材としては、例えば、ソーダガラスや石英ガラス、鉛ガラス等の光透過性ガラス、酸化イットリウム、アルミン酸イットリウム、或いは酸化ケイ素、酸化チタン、酸化ジルコニウム、酸化アルミニウム等を出発物質として焼結構成される光透過性セラミックス、ポリアミド１１やトロガミド、ポリスチレン、ポリカーボネート、ポリエチレン、ポリプロピレン、ポリエチレンテレフタレート、ポリブチレンテレフタレート、塩化ビニル、ＡＢＳ、アクリル、四フッ化エチレン、エチレン酸ビコポリマー、ベークライト、メラミン、不飽和ポリエステル、エポキシ等の光透過性合成樹脂等の固体を採用することが好ましい。なお、容器部１４の表面には、耐水層、防水層、ガスバリア層、緩衝層、耐酸性や耐塩基性等を有する耐薬品層、耐蝕層、耐熱層、耐紫外線層等を更に設けても良い。また、容器部１４の貯留部１４ａには、流体１３が貯留されている。
【００１８】
【表１】
0006038490.tif 000002
【００１９】
流体１３は、上記表１に示す元素周期表の第１の周期から第７の周期の元素を少なくとも一つ含む材質で形成されている。更に、流体１３は、光透過性を有する材質で形成されている。例えば、流体１３は、入手が容易な水や海水やオイル等が挙げられる。勿論、流体１３としては、水や油以外に、液体金属である水銀、又はスラリー状やゲル状を成す流動体、或いは、砂や砂鉄等のような砂状の物質を含む粉体や粒体、顆粒状を成す物体、若しくはこれらの混合物を含むものであってもよいが、費用対効果を含めた経済合理性や環境合理性を考慮した場合にも、流体１３として水を採用するのが最も好ましい。
【００２０】
ここで、経済合理性を検討する視点について説明する。材料毎の材料単価を表２に示す（２０１２年５月現在）。
【００２１】
【表２】
0006038490.tif 000003
【００２２】
表２から明らかなように、表２中において、水を除いた中で最も安価なコンクリートでさえ、水との比較では水の方がコンクリートよりも１千分の３倍安価であり、費用対効果では３６２倍高効率であることが判る。この表２では、材料の質量単価のみの記載であるが、実際には設置現場への搬送や加工、施工、撤去等に関する費用も含めて検討する必要が有り、この視点においても流体１３として、水を採用することが最も経済合理性に適うと考えられる。勿論、水の場合には最も豊富な資源であり、周辺を汚損することは殆ど無いことから環境合理性においても最も適している。
【００２３】
すなわち、仕切ユニット１は、仕切モジュール１０の流体１３及び容器部１４が光透過性を有しているので、外部から光（可視光）を取り入れることが出来、更に、外部２から工事作業現場３を視認することが出来、勿論、工事作業現場３から外部２を視認することも出来る。
【００２４】
なお、流体１３は、光透過性を維持しつつ、着色するようにしても良い。これにより、仕切ユニット１は、流体１３を設置現場周囲の色と同色又は近似する色に着色することで、周囲との調和を図ることが出来る。或いは、仕切ユニット１は、流体１３を設置現場周囲の色と異なる色に着色することで、注意を促すことが出来る。
【００２５】
更に、図４に示すように、容器部１４の上面には、流体１３を貯留部１４ａに注入する注入口１５が形成されている。従って、流体１３は、仕切モジュール１０を設置現場に運搬後に、容器部１４の貯留部１４ａに注入することが出来る。勿論、流体１３は、仕切モジュール１０を設置現場に運搬前に、予め容器部１４の貯留部１４ａに注入しておくようにしても良いし、工場で貯留部１４ａに貯留することで蓋体１６を用いずに封入されていても良い。また、注入口１５は、流体１３を容器部１４の貯留部１４ａに注入後に、蓋体１６によって閉塞される。
【００２６】
ここでは、更に、図３及び図４に示すように、容器部１４の側面部、例えば背側面部の下方には、貯留部１４ａに貯留された流体１３を外部に排出する排出口１７が形成されている。排出口１７は、通常、蓋体１８によって閉塞されている。従って、流体１３は、仕切モジュール１０を設置現場から撤去前に、蓋体１８を取り外して排出口１７を開口することで、設置現場において、容器部１４の貯留部１４ａから排出することが出来る。勿論、流体１３は、撤去後に、容器部１４の貯留部１４ａから排出することも出来る。また、本発明では、排出口１７を設けないようにしても良い。
【００２７】
なお、注入口１５及び排出口１７の形成位置は、これらに限定されるものではなく、適宜変更可能である。更に、排出口１７を設けずに、流体１３を、注入口１５から貯留部１４ａに注入すると共に、注入口１５から例えばポンプ等の排出装置を用いて排出するようにしても良い。更に、容器部１４の上面の注入口１５の周囲に凹部を設けて、装着状態の蓋体１６の頭が容器部１４の上面を上回らない位置となるようにしても良い。更に、同様にして、容器部１４の側面部の排出口１７の周囲に凹部を設けて、装着状態の蓋体１８の頭が当該凹部周辺の容器部１４の周面から出ない位置となるようにしても良い。
【００２８】
ジョイント部１２は、図３及び図４に示すように、容器部１４に設けられ、隣接する仕切モジュール１０に角度調整可能に係合する。ジョイント部１２は、容器部１４の一側面部の全面に亘って設けられた角度調整係合部１９と、容器部１４の一側面部とは反対側の他側面部の全面に亘って設けられ、角度調整係合部１９に対応する形状を有する係合受部２０とを有している。例えば、角度調整係合部１９は、略凸円弧状に設けられ、係合受部２０は、角度調整係合部１９と略同径の略凹円弧状に設けられている。なお、一側面部に係合受部２０を設けて、他側面部に角度調整係合部１９を設けても良い。また、角度調整係合部１９が凹状で係合受部２０が凸状であっても良い。
【００２９】
更に、容器部１４には、図３及び図４に示すように、角度調整係合部１９の円弧中心に対応する位置に、取付孔２１が形成されている。取付孔２１は、例えば、高さ方向に貫通して形成されている。そして、図４に示すように、取付孔２１には、仕切モジュール１０を支持する支持部材である単管２２が挿通される。この単管２２は、例えば断面円形状のパイプであり、下端が地面４に打ち込まれたり、コンクリートで埋設すること等により、地面４に固定されている。すなわち、仕切モジュール１０は、地面４に固定された単管２２に取付孔２１を挿通することで、単管２２に支持される。なお、取付孔２１は、容器部１４を貫通していることに限定されるものではなく、容器部１４の下面から所定の高さまで形成するようにしたり、或いは容器部１４の下面及び上面からそれぞれ独立に所定高さまで形成するようにしても良い。
【００３０】
以上のような構成を有する仕切ユニット１は、以下のようにして製作される。先ず、図５に示すように、地面４に第一単管２２ａを打ち込む等して、第一単管２２ａを地面４に固定する。次いで、第一単管２２ａに取付孔２１を被せるように装着して、第一単管２２ａに第一仕切モジュール１０ａを取り付ける。次いで、第一仕切モジュール１０ａを、取付孔２１（第一単管２２ａ）の軸線を中心に回動させて、所定の角度となるように設ける。
【００３１】
次いで、第一仕切モジュール１０ａの係合受部２０の円弧中心に対応する位置の地面４に、第二単管２２ｂを打ち込む等して固定する。次いで、第二単管２２ｂに取付孔２１を被せるように装着して、第二単管２２ｂに第二仕切モジュール１０ｂを取り付ける。この際、第一仕切モジュール１０ａの係合受部２０と第二仕切モジュール１０ｂの角度調整係合部１９とが係合する。角度調整係合部１９と係合受部２０とは、対応する形状を有し、取付孔２１は、角度調整係合部１９の円弧中心に形成されており、第二単管２２ｂは、第一仕切モジュール１０ａの係合受部２０の円弧中心に設けられている。従って、第二仕切モジュール１０ｂは、取付孔２１（第二単管２２ｂ）の軸線を中心に回動させることが出来る。従って、次いで、第二仕切モジュール１０ｂを、取付孔２１（第二単管２２ｂ）の軸線を中心に回動させて、隣接する第一仕切モジュール１０ａに対して所定の角度となるように設ける。
【００３２】
次いで、第二仕切モジュール１０ｂの係合受部２０の円弧中心に対応する位置の地面４に、第三単管２２ｃを固定し、第三単管２２ｃに取付孔２１を挿通して、第三単管２２ｃに第三仕切モジュール１０ｃを取り付ける。次いで、第三仕切モジュール１０ｃを、取付孔２１（第三単管２２ｃ）の軸線を中心に回動させて、隣接する第二仕切モジュール１０ｂに対して所定の角度となるように設ける。このとき、第二仕切モジュール１０ｂは、角度調整係合部１９が第一仕切モジュール１０ａの係合受部２０と係合され、係合受部２０が第三仕切モジュール１０ｃの角度調整係合部１９と係合されているので、回動することが防止される。
【００３３】
次いで、同様にして、更なる複数個の仕切モジュール１０において、上述したような操作を繰り返すことで、例えば、図１に示すようなＳ字状に湾曲した仕切ユニット１を製作することが出来る。勿論、仕切モジュール１０を設置する角度に応じては、図６に示すようなＬ字状の仕切ユニット１や図７に示すような直線状の仕切ユニット１を製作することも出来る。
【００３４】
以上のように、仕切ユニット１は、複数の仕切モジュール１０がジョイント部１２を介して角度調整可能に設けられているので、仕切モジュール１０を直線状に配列させることが出来ることに加え、Ｓ字状、Ｌ字状、Ｕ字状或いはＣ字状のような湾曲状に配列させることも出来る。従って、仕切ユニット１は、直線状及び湾曲状に設けることができ、設置自由度を高めることが出来る。また、仕切ユニット１を湾曲させたときには、直線状に配列させたときよりも倒れ難くすることが出来る。
【００３５】
また、仕切ユニット１は、仕切モジュール１０が容器部１４の貯留部１４ａに流体１３が貯留された構成を有するので、予め流体１３を容器部１４の貯留部１４ａに注入しておくことに限らず、運搬後に設置現場において、流体１３を容器部１４の貯留部１４ａに注入することが出来る。従って、仕切モジュール１０は、設置現場まで、流体１３を容器部１４の貯留部１４ａに設けていない軽量化した状態で、運搬することが出来る。更に、仕切モジュール１０は、撤去する際に、流体１３を容器部１４の貯留部１４ａから排出して軽量化した状態で、撤去することが出来、更に、移設することも容易である。
【００３６】
更に、仕切ユニット１は、複数個の仕切モジュール１０が隣接する仕切モジュール１０と互いに係合して一列に配列されているので、工事作業に伴う塵埃等が工事作業現場３から外部２に飛散することを防止出来る。
【００３７】
更に、仕切ユニット１は、所定の厚さを有する複数個の仕切モジュール１０が隣接する仕切モジュール１０と互いに係合するように一列に配列されているので、回折音波が少なくなり、工事作業に伴う騒音等を防音することが出来る。また、仕切モジュール１０には、通常、水が注入されて重量物となるので、防音に際しては、質量則に則って音波の透過損失効果が極めて高まる上、容器部１４に収容されている水の粘性抵抗によって騒音等の音波が著しく減衰される。
【００３８】
更に、仕切ユニット１は、仕切モジュール１０の流体１３及び容器部１４が光透過性を有しているので、外部２から工事作業現場３に光（可視光）を取り入れることが出来る。更に、仕切ユニット１は、外部２から工事作業現場３を視認することが出来、勿論、工事作業現場３からも外部２を視認することが出来る。
【００３９】
なお、仕切ユニット１は、図８（Ａ）に示すように、一列に配列された複数個の仕切モジュール１０の端部に、端部モジュール３０を設けるようにしても良い。
【００４０】
端部モジュール３０は、図８（Ｂ）に示すように、流体３３が貯留される容器部３４と、容器部３４に設けられ、隣接する仕切モジュール１０に係合するジョイント部３２とを有している。容器部３４は、例えば、槽状に形成された固体層であり、仕切モジュール１０の容器部１４と同様の材質で形成されている。更に、流体３３は、仕切モジュール１０の流体１３と同様の材質で形成されている。ジョイント部３２は、仕切モジュール１０の角度調整係合部１９と同様の形状を有し、凸円弧状に設けられている。更に、容器部３４には、高さ方向に貫通した取付孔３５が形成されている。そして、端部モジュール３０は、ジョイント部３２が仕切モジュール１０の係合受部２０に係合した状態で、仕切モジュール１０と同様に、取付孔３５に単管２２が挿通されることで支持される。このような端部モジュール３０は、ジョイント部３２の両端部が回転規制部３２ａとなっており、仕切モジュール１０の係合受部２０の端部が係合される。これにより、端部モジュール３０は、端部の仕切モジュール１０が回転することを防止出来る。
【００４１】
また、仕切ユニット１は、図９（Ａ）に示すように、一列に配列された複数個の仕切モジュール１０の端部に、端部モジュール４０を設けるようにしても良い。
【００４２】
端部モジュール４０は、図９（Ｂ）に示すように、流体４３が貯留される容器部４４と、容器部４４に設けられ、隣接する仕切モジュール１０に係合するジョイント部４２とを有している。容器部４４は、例えば、槽状に形成された固体層であり、仕切モジュール１０の容器部１４と同様の材質で形成されている。更に、流体４３は、仕切モジュール１０の流体１３と同様の材質で形成されている。ジョイント部４２は、仕切モジュール１０の係合受部２０と同様の形状を有し、仕切モジュール１０の角度調整係合部１９と略同径の凹円弧状に設けられている。更に、容器部４４には、高さ方向に貫通した取付孔４５が形成されている。そして、端部モジュール４０は、ジョイント部４２に仕切モジュール１０の角度調整係合部１９が係合された状態で、仕切モジュール１０と同様に、取付孔４５に単管２２が挿通されることで支持される。このような端部モジュール４０は、ジョイント部４２に仕切モジュール１０の角度調整係合部１９が係合されることで、端部の仕切モジュール１０が回転することを防止出来る。
【００４３】
更に、端部モジュール３０，４０は、二色成形によって二色に色分けされているようにしても良い。例えば、図８（Ａ）に示すように、端部モジュール３０は、取付孔３５の軸線よりも一方側の部分３４ａを第一色にして、他方側の部分３４ｂを第二色にする。同様に、図９（Ａ）に示すように、端部モジュール４０は、取付孔４５の軸線よりも一方側の部分４４ａを第一色にして、他方側の部分４４ｂを第二色にする。例えば、第一色は、黄色であり、第二色は青である。なお、第一色及び第二色は、これに限定されるものではない。これにより、端部モジュール３０，４０は、例えば、一方側の部分３４ａ，４４ａを工事作業現場３側に向け、他方側の部分３４ｂ，４４ｂを外部２側に向けて仕切モジュール１０の端部に設けられることで、工事作業現場３側と外部２側とを周囲に容易に把握させることが出来る。
【００４４】
また、仕切モジュール１０の角度調整係合部１９及び係合受部２０には、それぞれ、歯車の凹凸部が形成されるようにしても良い。この凹凸部は、角度調整するために仕切モジュール１０を回動させた際に、例えば、クリック感を発現する。更に、凹凸部は、例えば、仕切モジュール１０が所定の角度回動する毎にクリック感を付与させるようにしても良い。これにより、設置作業者は、仕切モジュール１０を隣接する仕切モジュール１０に対して何度回動させたかを容易に把握することが出来る。勿論、凹凸部は、凹凸部同士の嵌合程度を高強度にすることで、嵌合後には仕切モジュール１０を回転によって、係合位置からずらすことが出来ないようにして位置固定させるようにしても良い。
【００４５】
また、図１０に示すように、仕切モジュール１０は、容器部１４に、次の仕切モジュール１０を支持する次の単管２２を打ち込む際のガイド部５０を有するようにしても良い。ガイド部５０は、容器部１４の下面の一側面側に形成された凹段部５１と、下面の他側面側に側方に突出し、隣接する仕切モジュール１０の凹段部５１が配置される凸段部５２とで構成されている。更に、凸段部５２には、係合受部２０の円弧中心に対応する位置に、ガイド孔５３が形成されている。このガイド孔５３は、仕切モジュール１０が単管２２に取り付けられて角度調整された後に、次の仕切モジュール１０を支持する次の単管２２を打ち込む際のガイドとなる。従って、設置作業者は、次の単管２２を打ち込む位置を容易に把握することが出来る。
【００４６】
また、図１１に示すように、仕切ユニット１は、仕切モジュール１０を、高さ方向に複数個積み上げて設けるようにしても良い。この場合、仕切ユニット１は、積み上げた全ての仕切モジュール１０の取付孔２１に亘って単管２２が挿通されることで支持される。
【００４７】
更に、図１２に示すように、仕切ユニット１は、最下段及び中間段の仕切モジュール１０の容器部１４の上面及び下面に取付孔２１を形成し、最上段の仕切モジュール１０の容器部１４の下面に取付孔２１を形成して、最下段の仕切モジュール１０の容器部１４の下面の取付孔２１に地面４に固定された単管２２を挿通し、最下段の仕切モジュール１０の容器部１４の上面の取付孔２１と中間段の仕切モジュール１０の容器部１４の下面の取付孔２１とに亘って単管２２を挿通し、更に、中間段の仕切モジュール１０の容器部１４の上面の取付孔２１と最上段の仕切モジュール１０の容器部１４の下面の取付孔２１とに亘って単管２２を挿通することで、支持されるようにしても良い。
【００４８】
更に、図１３に示すように、仕切モジュール１０は、容器部１４の上面に係合凸部５４を設け、容器部１４の下面に他の仕切モジュール１０の係合凸部５４と係合する係合凹部５５を設けるようにしても良い。これにより、仕切ユニット１は、仕切モジュール１０を高さ方向に複数個積み上げて設ける際に、上段の仕切モジュール１０の係合凸部５４と下段の仕切モジュール１０の係合凹部５５とを係合させることで、上段の仕切モジュール１０と下段の仕切モジュール１０とのずれ止めを図ることが出来る。勿論、仕切モジュール１０は、容器部１４の上面に係合凹部５５を設け、容器部１４の下面に係合凸部５４を設けるようにしても良い。
【００４９】
更に、端部モジュール３０，４０も、上述した仕切モジュール１０と同様にして、高さ方向に複数個積み上げて設けるようにしても良い。
【００５０】
また、仕切モジュール１０は、単管２２によって支持されることに限定されるものではなく、図１４に示すように、支持板６０によって支持されるようにしても良い。支持板６０は、板状のフランジ部６１と、フランジ部６１上に一体に設けられ、仕切モジュール１０の取付孔２１に挿通される支持突部６２とを有している。従って、仕切ユニット１は、支持板６０を地面４に配置するだけで良く、容易に製作することが出来る。
【００５１】
更に、図１５に示すように、支持板６０は、フランジ部６１に、複数個の支持突部６２を有するようにしても良い。例えば、フランジ部６１は、Ｓ字状等、仕切ユニット１の完成予定形状に予め形成しておく。従って、仕切ユニット１は、仕切モジュール１０を設置する度に支持板６０を地面４に配置する必要が無く、容易に製作することが出来る。なお、支持板６０は、フランジ部６１を地面４にアンカボルト等の締結部材で固定するようにしても良い。また、支持板６０は、仕切モジュール１０より幅広に形成することで、仕切ユニット１を安定支持することが出来るし、コンクリートで固定することで、更に強固に支持することも出来る。
【００５２】
更に、仕切ユニット１は、単管２２や支持板６０等の支持部材によって仕切モジュール１０を支持することなく、仕切モジュール１０を地面４上に配置するようにしても良い。
【００５３】
更に、仕切モジュール１０は、角度調整係合部１９が多角形状であっても良い。また、仕切モジュール１０は、係合受部２０が多角形状であっても良い。このような場合であっても、仕切モジュール１０を隣接する仕切モジュール１０に対して角度調整可能に係合させることができ、直線状或いは湾曲状に配列させることができる。
【００５４】
また、容器部１４には、図１６に示すように、更なる層７０を設けるようにしても良い。更なる層７０は、容器部１４の貯留部１４ａ側の全面及び容器部１４の外部側の全面に、一層又は複数層設けるようにしても良く、これらの面のうちの少なくとも一面に、一層又は複数層設けるようにしても良い。このような更なる層７０は、固体層又は流体層であって、上記表１に示す元素周期表の第１の周期から第７の周期の元素を少なくとも一つ含む材質で形成されている。このような性質の素材としては、例えば、ソーダガラスや石英ガラス、鉛ガラス等の光透過性ガラス、酸化イットリウム、アルミン酸イットリウム、或いは酸化ケイ素、酸化チタン、酸化ジルコニウム、酸化アルミニウム等を出発物質として焼結構成される光透過性セラミックス、ポリアミド１１やトロガミド、ポリスチレン、ポリカーボネート、ポリエチレン、ポリプロピレン、ポリエチレンテレフタレート、ポリブチレンテレフタレート、塩化ビニル、ＡＢＳ、アクリル、四フッ化エチレン、エチレン酸ビコポリマー、ベークライト、メラミン、不飽和ポリエステル、エポキシ等の光透過性合成樹脂などの固体を採用することが可能である他、オイルや入手が容易な水や海水等の液体を採用することが可能であり、液相体の他、ゲル状体、スラリー状体、粉体、粒体、或いはそれらの混合体、若しくは、注入時には、流体でありながら、注入後に硬化して固体化するものであっても良い。従って、仕切モジュール１０は、遮蔽性、機械的強度、耐久性等の向上を図ることが出来る。
【００５５】
また、仕切モジュール１０は、図１７に示すように、上面及び下面に連結手段を兼ねる開口部が形成され、下部の開口部が栓体８０で閉止された容器部１４上に、上面及び下面に連結手段を兼ねる開口部が形成された容器部１４を複数個積み重ねて、積み重ねられた容器部１４の貯留部１４ａ内に、流体１３を貯留するようにしても良い。このように構成することで、容器部１４内部を空にしておきながら複数の容器部１４を連結手段を兼ねる開口部同士を互い連結させて連通させ、組み上がった時点で、最上段の上部の開口部から流体１３を注入することが可能で、最下段に位置する容器部１４の貯留部１４ａの内部に至るまで全ての連結された容器部１４内に、流体１３を行き渡らせることが可能となる。
【００５６】
更に、流体１３及び容器部１４は、光透過性を有する材料で構成されることに限定されるものではなく、光不透過性の材料で構成されるようにしても良い。
【００５７】
この場合、容器部１４の材料としては、例えば、タングステン系素材や鉄系素材、鉛系素材等を主成分とする金属類、陶器素材や磁器素材等を主成分とするセラミックス類、板ガラスやガラスカレット等のガラス質を主成分とするガラス類、コンクリート、アスファルト、天然樹脂や合成樹脂類やゴム類等の高分子化合物類、木類或いはそれらから構成される複合材料によって、例えば繊維強化材化するなどして構成される。更に、流体１３の材料としては、例えば、タングステン系素材や鉄系素材、鉛系素材等主成分とする金属類、陶器素材や磁器素材等を主成分とするセラミックス類、板ガラスやガラスカレット等のガラス質を主成分とするガラス類、コンクリート、アスファルト、天然樹脂や合成樹脂類やゴム類等の高分子化合物類、木類、ホウ酸系素材、黒鉛系素材や無定形炭素系素材、或いはそれらから構成される複合材料等を含んで構成することが可能であるが、流動可能な状態に構成する。勿論、流体１３としては、液相体の他、ゲル状体、スラリー状体、粉体、粒体、或いはそれらの混合体、若しくは、注入時には、流体でありながら、注入後に硬化して固体化するものであってもよい。
【００５８】
更に、仕切ユニット１は、光透過性を有する仕切モジュール１０ｄと、光不透過性を有する仕切モジュール１０ｅとを組み合わせて製作されるようにしても良い。
【００５９】
例えば、仕切ユニット１は、図１８（Ａ）に示すように、長手方向の中央部に光透過性を有する仕切モジュール１０ｄを配置し、その両側に光不透過性を有する仕切モジュール１０ｅを配置するようにしても良い。また、仕切ユニット１は、図１８（Ｂ）に示すように、上層に光透過性を有する仕切モジュール１０ｄを配置し、下層に光不透過性を有する仕切モジュール１０ｅを配置するようにしても良く、また言うまでもないがこれらの上下を逆にしても良い。更に、仕切ユニット１は、図１８（Ｃ）に示すように、光透過性を有する仕切モジュール１０ｄを、光不透過性を有する仕切モジュール１０ｅで囲むように配置するようにしても良い。
【００６０】
また、仕切モジュール１０は、図１９に示すように、平面視で縦長（幅広）となるように設けても良く、図２０に示すように、平面視で横長（長手方向に長く）となるように設けても良い。更に、仕切モジュール１０は、大人の背丈程の高さに設けることに限定されるものではなく、それより低く、例えば、板状と言えるような縦横比で設けるようにしても良く、高く設けるようにしても良い。更に、仕切ユニット１は、仕切モジュール１０を積み上げて、大人の背丈程の高さに設けるようにしても良く、それより低く設けるようにしても良く、高く設けるようにしても良い。
【００６１】
また、仕切ユニット１は、工事作業現場３とその他の空間２とを仕切ることに限定されるものではなく、オフィス、工場、住宅、学校、病院等の建物内のレイアウトや目隠し等に用いるようにしても良い。すなわち、仕切ユニット１は、所謂、パーティションとして用いるようにしても良い。例えば、オフィスに用いる場合には、図２１に示すように、仕切ユニット１を、直線状に設けて、相対するデスク９０，９０間に設置して、目隠しに用いるようにしても良く、Ｌ字状に湾曲状に設けて、フロア９１と、会議室、応接室、役員室又は倉庫等の他の空間部９２と仕分けるようにしても良い。図２１中においては、相対するデスク９０，９０間を仕分ける仕切ユニット１は、光不透過性を有する仕切モジュール１０ｅによって製作されており、フロア９１と他の空間部９２とを仕分ける仕切ユニット１は、図１８（Ｂ）に示すように、上層に光透過性を有する仕切モジュール１０ｄが配置され、下層に光不透過性を有する仕切モジュール１０ｅが配置されている。なお、上述した例は、あくまで一例であり、これらに限定されるものではない。更に、図２１中の符号１０ｆに示すように、光透過性を有する仕切モジュール１０ｄは、容器部１４を磨りガラスで設けて、視線は遮るが、採光可能に設けるようにしても良い。
【符号の説明】
【００６２】
１  仕切ユニット、２  外部、３  工事作業現場、４  地面、１０  仕切モジュール、１２  ジョイント部、１３  流体、１４  容器部、１４ａ  貯留部、１５  注入口、１６  キャップ、１７  排出口、１８  キャップ、１９  角度調整係合部、２０  係合受部、２１  取付孔、２２  単管、３０  端部モジュール、３２  ジョイント部、３２ａ  回転規制部、３３  流体、３４  容器部、３５  取付孔、４０  端部モジュール、４２  ジョイント部、４３  流体、４４  容器部、４５  取付孔、５０  ガイド部、５１  切欠部、５２  突出片、５３  ガイド孔、５４  係合凸部、５５  係合凹部、６０  支持板、６１  フランジ部、６２  支持突部、７０  更なる層、８０  栓体、９０  デスク、９１  フロア、９２  他の空間部
【図１】
0006038490.tif 000004
【図２】
0006038490.tif 000005
【図３】
0006038490.tif 000006
【図４】
0006038490.tif 000007
【図５】
0006038490.tif 000008
【図６】
0006038490.tif 000009
【図７】
0006038490.tif 000010
【図８】
0006038490.tif 000011
【図９】
0006038490.tif 000012
【図１０】
0006038490.tif 000013
【図１１】
0006038490.tif 000014
【図１２】
0006038490.tif 000015
【図１３】
0006038490.tif 000016
【図１４】
0006038490.tif 000017
【図１５】
0006038490.tif 000018
【図１６】
0006038490.tif 000019
【図１７】
0006038490.tif 000020
【図１８】
0006038490.tif 000021
【図１９】
0006038490.tif 000022
【図２０】
0006038490.tif 000023
【図２１】
0006038490.tif 000024